(57)【要約】【課題】電池蓋を閉じた状態で電池室に電源テーブルを通すことができる構成であっても意匠性が損なわれることを防止する。【解決手段】外装と、電池収納部と、電池収納部に対して電池を挿抜するための開口を開閉する電池蓋と、この開口と繋がるように電池収納部の側面及び外装に設けられた切欠部と、電池収納部に対する電池の挿抜方向に移動して前記切欠部を開閉するカバーユニットと、カバーユニットをガイドするガイド部と、を有する電子機器であって、カバーユニットは、挿抜方向に移動する第１のカバー部材と挿抜方向及び当該挿抜方向と略直交する方向に移動する第２のカバー部材とを有し、ガイド部は、カバーユニットが切欠部を開いた第１の状態よりもカバーユニットが切欠部を閉じた第２の状態の方が第２のカバー部材が電子機器の外部側に位置するように第２のカバー部材をガイドする。【選択図】図１２
2013137416.tif 000002
【特許請求の範囲】
【請求項１】
外装と、電池収納部と、前記電池収納部に対して電池を挿抜するための開口を開閉する電池蓋と、前記開口と繋がるように前記電池収納部の側面及び前記外装に設けられた切欠部と、前記電池収納部に対する電池の挿抜方向に移動して前記切欠部を開閉するカバーユニットと、前記カバーユニットをガイドするガイド部と、を有する電子機器であって、
前記カバーユニットは、
前記挿抜方向に移動する第１のカバー部材と、
前記挿抜方向及び当該挿抜方向と略直交する方向に移動する第２のカバー部材と、を有し、
前記ガイド部は、前記カバーユニットが前記切欠部を閉じた第１の状態の方が前記カバーユニットが前記切欠部を開いた第２の状態よりも、前記第２のカバー部材が前記電子機器の外部側に位置するように、前記第２のカバー部材をガイドすることを特徴とする電子機器。
【請求項２】
前記ガイド部は、前記電池収納部に対する電池の挿抜方向に延びる第１のガイド部と、
前記第１のガイド部の前記電池蓋側の端から前記電子機器の外部側に傾斜する第２のガイド部と、を有することを特徴とする請求項１に記載の電子機器。
【請求項３】
前記第１のカバー部材は前記第１のガイド部によりガイドされ、
前記第２のカバー部材は、前記第１のガイド部及び前記第２のガイド部によりガイドされることを特徴とする請求項２に記載の電子機器。
【請求項４】
前記カバーユニットは、当該カバーユニットの周囲の部材と摺動する面にリブが設けられていることを特徴とする請求項１ないし３のいずれか１項に記載の電子機器。
【請求項５】
前記ガイド部が設けられた部材は、前記外装よりも前記電子機器の外部側に突出していることを特徴とする請求項１ないし４のいずれか１項に記載の電子機器。
【請求項６】
前記カバーユニットは、前記切欠部を閉じる方向に付勢されていることを特徴とする請求項１ないし５のいずれか１項に記載の電子機器。
【請求項７】
前記第１のカバー部材と前記第２のカバー部材との間に配置された付勢部材を有し、
前記付勢部材は、前記第１のカバー部材と前記第２のカバー部材とを前記挿抜方向と略直交する方向に付勢することを特徴とする請求項１ないし６のいずれか１項に記載の電子機器。
【請求項８】
前記電池収納部は、電源ケーブルが接続されたカプラーを収納可能であることを特徴とする請求項１ないし７のいずれか１項に記載の電子機器。
【発明の詳細な説明】
【技術分野】
【０００１】
本発明は、デジタルカメラなどの電子機器に関し、特に、電子機器における電源ケーブルの取り付け構造に関する。
【背景技術】
【０００２】
近年、デジタルカメラなどの電子機器は小型化が進み、このため、バッテリーに代わって外部から電源を供給するための外部電源用端子を、電子機器の本体に設けることが困難な状況にある。そこで、電池室に収納されるＤＣカプラーに外部電源用端子を設けて、電子機器本体に電源を供給することが行われている。
【０００３】
このＤＣカプラーはバッテリーと同様に電子機器本体の底面部にある電池蓋を開けて、電池室に挿入される。この際、ＤＣカプラーに電源ケーブルを接続し、電源ケーブルを電子機器の外部へ引き出そうとすると、電源ケーブルが電子機器本体の底面部よりも突出した状態になる。
【０００４】
このため、電子機器を机などの平面に置くと、電子機器が傾いて倒れることがあり、さらには、電源ケーブルが折れ曲がって断線することがある。
【０００５】
このような不具合を防止するため、電池室（電池収納部）の側壁に電源ケーブルを通すための切欠部を形成し、当該切欠部から、つまり、側壁から電源ケーブルを撮像装置から引き出すようにした構造が知られている（特許文献１参照）。この構造によって、電源ケーブルが撮像装置の底面から突出しないようにすることができ、上述の不具合を防止することができる。
【０００６】
図１６は、従来の撮像装置における側面の一部を示す斜視図である。
【０００７】
図１６において、撮像装置５００には、電池収納部の側壁部からその外観面にかけて切欠部５０３が形成されている。そして、電源ケーブルを使用しない場合（非使用時）に切欠部５０３を閉じるため、図中上下にスライド可能な切欠部カバー５０１がカバー部材として外観面に設けられている。
【０００８】
切欠部カバー５０１は図中下側へ付勢されており、電源ケーブル（図示せず）を使用しない場合には、電池収納部内は切欠部カバー５０１に遮られて外部から見えない。
【０００９】
一方、電源ケーブルを接続する際には、電源ケーブルによって切欠部カバー５０１が図中上側へ押しつけられて、電池蓋を閉めていても切欠部５０３を通って電源ケーブルが電池収納部内へ導かれるので、電源ケーブルが撮像装置の底面から突出しない。
【先行技術文献】
【特許文献】
【００１０】
【特許文献１】特開平２−８２７６１号公報
【発明の概要】
【発明が解決しようとする課題】
【００１１】
ところで、切欠部カバー５０１のスライド可能な可動領域を確保するため、切欠部カバー５０１には外観面に凹形状部５０２を形成する必要がある。
【００１２】
ところが、凹形状部５０２は電源ケーブルを使用しない場合には撮像装置の外観面に露出するため、意匠性を考慮すると好ましくない。
【００１３】
そこで、本発明の目的は、電池蓋を閉じた状態で電池収納部に電源テーブルを通すことができる構成であっても意匠性が損なわれることを防止することのできる電子機器を提供することにある。
【課題を解決するための手段】
【００１４】
上記の目的を達成するため、本発明による電子機器は、外装と、電池収納部と、前記電池収納部に対して電池を挿抜するための開口を開閉する電池蓋と、前記開口と繋がるように前記電池収納部の側面及び前記外装に設けられた切欠部と、前記電池収納部に対する電池の挿抜方向に移動して前記切欠部を開閉するカバーユニットと、前記カバーユニットをガイドするガイド部と、を有する電子機器であって、前記カバーユニットは、前記挿抜方向に移動する第１のカバー部材と、前記挿抜方向及び当該挿抜方向と略直交する方向に移動する第２のカバー部材と、を有していて、前記ガイド部は、前記カバーユニットが前記切欠部を開いた第１の状態よりも前記カバーユニットが前記切欠部を閉じた第２の状態のほうが、前記第２のカバー部材が前記電子機器の外部側に位置するように、前記第２のカバー部材をガイドすることを特徴とする。
【発明の効果】
【００１５】
本発明によれば、電池蓋を閉じた状態で電池収納部に電源テーブルを通すことができる構成であっても意匠性が損なわれることを防止することができる。
【図面の簡単な説明】
【００１６】
【図１】本発明の第１の実施形態による電子機器の一つであるデジタルカメラの一例を背面側からみた斜視図である。
【図２】図１に示すデジタルカメラを正面側からみた斜視図である。
【図３】図１に示すデジタルカメラの内部を背面側からみた斜視図である。
【図４】図２に示すデジタルカメラの内部を正面側からみた斜視図である。
【図５】本発明の第１の実施形態によるデジタルカメラの構造体であるシャーシ構造を背面側からみた斜視図である。
【図６】図５に示すシャーシ構造を正面側からみた斜視図である。
【図７】本発明の第１の実施形態によるデジタルカメラで用いられるバッテリーボックスユニットを分解して示す斜視図である。
【図８】図７における三脚座および切欠部カバーホルダーをバッテリーボックスに組付けた状態を示す斜視図である。
【図９】バッテリーボックスの完成体を示す斜視図である。
【図１０】本発明の第１の実施形態によるデジタルカメラにおける切欠部カバーユニットを示す斜視図であり、（ａ）は、切欠部カバーユニットの表側を示す斜視図、（ｂ）は切欠部カバーユニットの裏側を示す斜視図である。
【図１１】図１０で説明した切欠部カバーユニットを示す図であり、（ａ）は正面からみた図、（ｂ）は（ａ）のＡ−Ａ線の断面図である。
【図１２】図１０で説明した切欠部カバーユニットの動きを説明するための図であり、（ａ）は切欠部カバーユニットが下端に位置する際の断面図、（ｂ）は（ａ）の一部破断して示す斜視図、（ｃ）は切欠部カバーユニットが上方に移動する際の断面図、（ｄ）は（ｃ）の一部破断して示す斜視図、（ｅ）は切欠部カバーユニットが上端に位置する際の断面図、（ｆ）は（ｅ）の一部破断して示す斜視図である。
【図１３】図１２で説明した切欠部カバーユニット動きを外観から示す斜視図であり、（ａ）は図１２（ａ）に示す状態に対応する斜視図、（ｂ）は図１２（ｃ）に示す状態に対応する斜視図、（ｃ）は図１２（ｅ）に示す状態に対応する斜視図である。
【図１４】図１に示すデジタルカメラにおいてＤＣカプラーおよび電源ケーブルを収納する直前の状態を示す斜視図である。
【図１５】図１に示すデジタルカメラにおいてＤＣカプラーおよび電源ケーブルを収納した状態を外観から示す斜視図である。
【図１６】従来の撮像装置における側面の一部を示す斜視図である。
【発明を実施するための形態】
【００１７】
以下、本発明の実施の形態による電子機器の一例について図面を参照して説明する。
【００１８】
図１は、本発明の実施の形態による電子機器の一つであるデジタルカメラの一例を背面側からみた斜視図である。
【００１９】
図１において、デジタルカメラ１の背面には、撮影画像が表示される液晶や有機ＥＬなどを用いた表示部４１が配置されている。この表示部４１はカメラ本体とヒンジ部４２を介して接続されていて、カメラ本体に対して開閉操作および回転操作が可能である。
【００２０】
表示部４１の右側には、操作ボタン２３ａ〜２３ｅ、操作ダイヤルボタン２４ａ、および各種選択を決定するＳＥＴボタン２４ｂが配置されている。
【００２１】
また、表示部４１の上側には、ショートカットボタン２５ａおよび再生ボタン２５ｂが配置されている。これらのボタンの操作に応じて、撮影画像が表示部４１に表示され、さらには、種々のカメラ設定を行うことができる。
【００２２】
上記のボタン付近を形成する外装カバーはリアカバー２１と呼ばれる。このリアカバー２１はアルミなどの金属製であって、カメラ内部で発生した熱を外部に放熱する役割も有している。リアカバー２１には、デジタルカメラ１を把持しやすくするリアグリップ２２が形成されている。
【００２３】
デジタルカメラ１の上面中央より右側には、動画および静止画の撮影モードを切り替えるためのモードダイヤル３５が配置されるとともに、露出補正の設定を行うための露出補正ダイヤル３６が配置されている。その他、撮影を開始するためのレリーズボタン３７、ズームレバー３８、電源オン／オフ操作を行うための電源ボタン３９が配置されている。
【００２４】
デジタルカメラ１の上面中央には、アクセサリーシュー３４が配置されている。このアクセサリーシュー３４には外部ストロボ（図示せず）などのアクセサリが取り付けられる。
【００２５】
デジタルカメラ１の上面中央より左側には、ストロボ３３が配置されている。ストロボレバー３２をスライド操作すると、ストロボ３３が上方に移動して、カメラ本体から露出し使用することが可能となる。上方に移動したストロボ３３は撮影者が上から押下することでカメラ本体内部の収納部に収納される。これらデジタルカメラ１の上面部を形成する外装カバーはトップカバー３１と呼ばれる。
【００２６】
デジタルカメラ１のグリップ側の側面には、外部端子コネクタを覆うコネクタカバー１０１が配置されている。コネクタカバー１０１の上側には、ストラップ（図示せず）を通すためのストラップベース１０２ａが配置されている。グリップ側と反対側の側面には、ストラップベース１０２ａと同様のストラップベース１０２ｂが配置されている。
【００２７】
また、コネクタカバー１０１の下側には、ＤＣカプラー（図示せず）に電力を供給する電源ケーブル（図示せず）を通すための切欠部（図示せず）が設けられている。また、電源ケーブルを使用しない場合（非使用時）に切欠部を閉じるための第１のカバー部材２０１と第２のカバー部材２１１が配置されている。以下では、ＤＣカプラーに電力を供給する電源ケーブルを通すための切欠部を閉じるための可動部分を切欠部カバーユニットと呼び、切欠き部カバーユニットは第１のカバー部材２０１と第２のカバー部材２１１とを含む。
【００２８】
図２は、図１に示すデジタルカメラを正面側からみた斜視図である。
【００２９】
図２において、デジタルカメラ１の正面には、レンズユニット１３、バヨネットキャップ１４、およびバヨネットロックボタン１５が配置されている。レンズユニット１３によって被写体像がデジタルカメラ１に取り込まれる。バヨネットキャップ１４は回転式でデジタルカメラ１から取り外し可能であり、バヨネットロックボタン１５はバヨネットキャップ１４を取り外す際にそのロックを解除するためのものである。
【００３０】
さらに、デジタルカメラ１の正面には、表示部４１を使用せずに、撮影構図を確認するためのファインダーユニット１６が配置されている。これら正面部を形成する外装カバーはフロントカバー１１と呼ばれる。
【００３１】
なお、フロントカバー１１およびリアカバー２１はデジタルカメラ１の筐体を構成する。
【００３２】
フロントカバー１１はアルミなどの金属製であって、カメラ内部で発生した熱を外部に放熱する役割を有している。フロントカバー１１には、デジタルカメラ１を把持しやすくするフロントグリップ１２が形成されている。
【００３３】
図３は、図１に示すデジタルカメラの内部を背面側からみた斜視図である。
【００３４】
図３において、デジタルカメラ１の内部には、ＣＣＤやＣＭＯＳなどの撮像センサーが実装されるセンサー電子回路基板７１および信号処理基板７２が配置されている。これらのセンサー電子回路基板７１および信号処理基板７２には、発熱量が多い電子部品が複数実装されている。このため、センサー電子回路基板７１および信号処理基板７２は背面側に配置されている。また、信号処理基板７２には外部端子コネクタ７３ａ〜７３ｃが実装される。
【００３５】
図４は、図２に示すデジタルカメラの内部を正面側からみた斜視図である。
【００３６】
図４において、正面側から見た右側面にはサイドシャーシ６３が配置され、正面左下方にはバッテリーボックス６５が規定されている。さらに、正面側にはフロントシャーシ６２が配置されている。
【００３７】
図５は、本発明の第１の実施形態によるデジタルカメラの構造体であるシャーシ構造を背面側からみた斜視図である。また、図６は、図５に示すシャーシ構造を正面側からみた斜視図である。
【００３８】
図５および図６を参照して、デジタルカメラ１の背面側には、リアシャーシ６１があり、背面側から見たリアシャーシ６１の左側にはサイドシャーシ６３が位置する。リアシャーシ６１の上面側には、アクセサリーシューを支えるアクセサリーシュープレート６４が位置する。
【００３９】
また、背面側から見たリアシャーシ６１の右側には、バッテリーボックス６５、バッテリーボックスプレート６６、および三脚座６７が位置している。そして、デジタルカメラ１の正面側には、フロントシャーシ６２がある。これらのシャーシなどは全てビスで互いに締結されて、略一体型の箱形状のシャーシ構造が形成される。
【００４０】
このシャーシ構造によって、レンズユニット１３、ファインダーユニット１６などの光学ユニットが堅持される。また、シャーシ構造は、デジタルカメラ１の構造躯体となり、カメラの落下などに対して十分耐える構造となっている。
【００４１】
ここで、バッテリーボックス６５を構成するバッテリーボックスユニットについて説明する。
【００４２】
図７は、本発明の第１の実施形態によるデジタルカメラで用いられるバッテリーボックスユニットを分解して示す斜視図である。
【００４３】
図７において、図示のバッテリーボックスユニット２００は、電池収納部を規定するバッテリーボックス６５を有している。三脚座６７はバッテリーボックス６５にビス６７ａおよび６７ｂによって固定される。図１に関連して説明した切欠部カバーユニットの両側側面に位置するデジタルカメラ１の背面側の側壁２２１はバッテリーボックス６５と一体に形成されている。
【００４４】
さらに、切欠部カバーユニットの両側側面に位置するデジタルカメラ１の正面側の側壁２２２は、バッテリーボックス６５とは別体のものとして切欠部カバーホルダー２５１に形成されている。切欠部カバーホルダー２５１は、バッテリーボックス６５にビス２５１ａによって固定される。
【００４５】
図８は、図７における三脚座６７および切欠部カバーホルダー２５１をバッテリーボックス６５に組付けた状態を示す斜視図である。また、図９は、バッテリーボックス６５の完成体を示す斜視図である。
【００４６】
前述のように、バッテリーボックス６５に切欠部カバーホルダー２５１を組み付けることによって、切欠部カバーユニットの両側側面に位置する側壁２２１および２２２が形成される。側壁２２１および２２２の間には、ＤＣカプラーに電力を供給する電源ケーブルを通すための切欠部２６１が規定される。この切り欠部２６１は、電池収納部の開口と繋がっている。
【００４７】
この切欠部２６１はデジタルカメラ１の底面から上面に向かう所定の方向に延びている。そして、後述するように、切欠部カバーユニットは上記の所定の方向に移動可能に配置されて、切欠部２６１を開閉する。なお、側壁２２１および２２２の間には、切欠部カバーユニットが摺動するためのバッテリーボックスの摺動面６５ｂが設けられている。
【００４８】
側壁２２１および２２２には、それぞれガイド溝２２１ａおよび２２２ａ（ガイド溝２２２ａは図８においてはみえない）が形成され、ガイド溝２２１ａおよび２２ａにはそれぞれ開口部２２１ｂ、２２２ｂが設けられている。
【００４９】
図７に示すように、切欠部カバーユニットは、第１のカバー部材２０１に付勢部材としての弾性部材２３１および第２のカバー部材２１１が組み付けられている。切欠き部カバーユニットはガイド溝２２１ａおよび２２２ａの開口部２２１ｂおよび２２２ｂから挿入される。弾性部材２３１は、例えば、ゴムやバネである。
【００５０】
続いて、第１のカバー部材２０１を図中下側に付勢するための付勢部材としてのスプリング２５２が第１のカバー部材２０１のピン２０６に挿入される。スプリング２５２の挿入端と反対側の端がバッテリーボックス６５に設けられた当てリブ６５ａの内側に収納される。
【００５１】
そして、バッテリーボックス６５にバッテリーボックスプレート６６を組み付けると、バッテリーボックスプレート６６の一部がスプリング２５２の一部を覆う。これによって、スプリング２５２の外れが防止される。
【００５２】
上述のようにして、組み付けを行うと、図９に示すバッテリーボックスユニット２００が完成する。
【００５３】
続いて、第１のカバー部材２０１と第２のカバー部材２１１との組み付けについて説明する。
【００５４】
図１０は、本発明の第１の実施形態によるデジタルカメラ１における第１のカバー部材２０１と第２のカバー部材２１１との組付状態を示す斜視図である。そして、図１０（ａ）は、切欠部カバーユニットの表側を示す斜視図であり、図１０（ｂ）は切欠部カバーユニットの裏側を示す斜視図である。
【００５５】
第１のカバー部材２０１の両側面には、それぞれガイドピン２０２ａ〜２０２ｄが形成されている。一方、第２のカバー部材２１１の両側面には、それぞれガイドピン２１２ａおよび２１２ｂが形成されている。これらのガイドピン２０２ａ〜２０２ｄとガイドピン２１２ａおよび２１２ｂとが上述のガイド溝２２１ａおよび２２１ｂに沿って摺動する。
【００５６】
さらに、第１のカバー部材２０１には、ガイド溝（溝部）２０３ａおよび２０３ｂが形成されている。また、第２のカバー部材２１１には、ガイドリブ（リブ部）２１３ａおよび２１３ｂが形成されている。ガイド溝（溝部）２０３ａおよび２０３ｂは、第２のカバー部材２１１が第１のカバー部材２０１に対して、デジタルカメラ１に対する切欠部カバーユニットの移動方向（電池収納部に対する電池の挿抜方向）と略直交する方向に移動できるスリット形状である。
【００５７】
ガイド溝２０３ａおよび２０３ｂに沿って、それぞれガイドリブ２１３ａおよび２１３ｂが摺動すると、第２のカバー部材２１１と第１のカバー部材２０１とが相対的に移動する。
【００５８】
第１のカバー部材２０１の周囲の部材と摺動する面には、摺動リブ２０５ａ〜２０５ｆが形成されている。これらの摺動リブ２０５ａ〜２０５ｆは側壁２２１および２２２とバッテリーボックス６５の摺動面６５ｂに当接して摺動する。これらの摺動リブ２０５ａ〜２０５ｆを設けることによって、摺動抵抗を低減することができ、側壁２２１および２２２と第１のカバー部材２０１とのクリアランスも小さくすることができる。つまり、外観上の隙間を小さくして切欠部カバーユニットをスムーズに上下方向にスライドさせることができる。
【００５９】
図１１は、図１０で説明した切欠部カバーユニットを示す図であり、図１１（ａ）は正面からみた図、図１１（ｂ）は図１１（ａ）のＡ−Ａ線の断面図である。
【００６０】
第２のカバー部材２１１には、係合ツメ（係合部）２１４ａおよび２１４ｂが形成されている。一方、第１のカバー部材２０１には、凸部２０４ａおよび２０４ｂが設けられている。凸部２０４ａおよび２０４ｂにそれぞれ係合ツメ２１４ａおよび２１４ｂを係合させることによって、第２のカバー部材２１１が第１のカバー部材２０１に組み付けられる。
【００６１】
第１のカバー部材２０１と第２のカバー部材２１１との間には弾性部材２３１が配置されている。第２のカバー部材２１１が第１のカバー部材２０１に組み付けられた状態において、弾性部材２３１は圧縮されて第１のカバー部材２０１と第２のカバー部材２１１との間に収納される。このため、弾性部材２３１の弾性力が作用して、第１のカバー部材２０１に対して第２のカバー部材２１１が浮き上がる方向に付勢される。また、この弾性部材２３１の弾性力によって、第１のカバー部材２０１と第２のカバー部材２１１とのガタ付きが抑えられる。
【００６２】
ここで、第１のカバー部材２０１および第２のカバー部材２１１の動きについて説明する。
【００６３】
図１２は、第１のカバー部材２０１および第２のカバー部材２１１の動きを説明するための図である。そして、図１２（ａ）は切欠部カバーユニットが下端に位置する際の断面図であり、図１２（ｂ）は図１２（ａ）の一部破断して示す斜視図である。また、図１２（ｃ）は、切欠部カバーユニットが上方に移動する際の断面図であり、図１２（ｄ）は図１２（ｃ）の一部破断して示す斜視図である。さらに、図１２（ｅ）は、切欠部カバーユニットが上端に位置する際の断面図であり、図１２（ｆ）は図１２（ｅ）の一部破断して示す斜視図である。
【００６４】
図１２において、断面図の全ては同一の位置で破断した図であり、第１のカバー部材２０１および第２のカバー部材２１１の動きが容易に分かるように側壁２２２のガイド溝２２２ａの中心付近の断面を表している。なお、ガイド溝２２１ａおよび２２２ａは同一形状であるので、ここでは、ガイド溝２２２ａに関して説明する。なお、図１２（ｂ）、図１２（ｄ）、および図１２（ｆ）においては、図中の左側がデジタルカメラ１の下側となる。
【００６５】
図１２（ａ）および図１２（ｂ）に示す切欠部カバーユニットが下端に位置する際には、切欠部２６１は切欠部カバーユニットによって閉じられている。デジタルカメラ１において電源ケーブルが用いられていない場合にはこのような状態（第１の状態）となる。図１２（ｃ）および図１２（ｄ）に示す切欠部カバーユニットが下端から上方に移動する際には、第１のカバー部材２０１と第２のカバー部材２１１とが上方に移動するとともに、第２のカバー部材２１１が第１のカバー部材２０１に対して所定位置まで沈み込む。第２のカバー部材２１１が第１のカバー部材２０１に対して所定位置まで沈み込んだ後は、沈み込んだ状態のまま第１のカバー部材２０１と第２のカバー部材２１１とがともに上方に移動する。図１２（ｅ）および図１２（ｆ）に示す切欠部カバーユニットが上端に位置する際には、切欠部２６１は切欠部カバーユニットによって閉じられていない。デジタルカメラ１において電源ケーブルを用いる場合にはこのような状態（第２の状態）となる。
【００６６】
すなわち、切欠部カバーユニットが切欠部２６１を閉じた状態のほうが切欠部カバーユニットが切欠部２６１を開いた状態よりも、前記第２のカバー部材２１１がデジタルカメラ１の外部側に位置するように、第２のカバー部材２１１はガイドされる。
【００６７】
側壁２２２のガイド溝２２２ａは、デジタルカメラ１の上下方向（電池収納部に対する電池の挿抜方向）に延びる直線部（第１のガイド部）と直線部の下端（電池蓋側の端）からデジタルカメラ１の外部側に向けて傾斜する傾斜部（第２のガイド部）とを有している。
【００６８】
第１のカバー部材２０１のガイドピン２０２ｃおよび２０２ｄは、ガイド溝２２２ａの直線部のみで移動するので、第１のカバー部材２０１は、デジタルカメラ１の上下方向にのみ移動する。
【００６９】
第２のカバー部材２１１のガイドピン２１２ｂは、傾斜部および直線部の両方を移動し、図１２（ａ）および図１２（ｃ）に示す状態では、ガイドピン２１２ｂは傾斜部を移動する。そして、図１２（ｃ）および図１２（ｅ）に示す状態では、ガイドピン２１２ｂは直線部に沿って移動する。
【００７０】
つまり、第２のカバー部材２１１は、図１２（ａ）から図１２（ｄ）に示す状態では、第１のカバー部材２０１に対して沈み込みながら上方に移動する。そして、図１２（ｃ）から図１２（ｆ）に示す状態では、第２のカバー部材２１１は第１のカバー部材２０１に沈み込んだまま第１のカバー部材と同様に上方にのみ移動する。
【００７１】
逆に、切欠部カバーユニットを上端から下端に移動する際には第２のカバー部材２１１はガイドピン２１２ｂが傾斜部に到達するまでは第１のカバー部材２０１と同様に下方にのみ移動する。そして、ガイドピン２１２ｂが傾斜部に到達した後は第２のカバー部材２１１は第１のカバー部材に対して浮き上がりつつ下方に移動する。
【００７２】
図１３は、図１２で説明した第１のカバー部材２０１および第２のカバー部材２１１の動きを外観から示す斜視図である。そして、図１３（ａ）は、図１２（ａ）に示す状態に対応する斜視図であり、図１３（ｂ）は、図１２（ｃ）に示す状態に対応する斜視図である。また、図１３（ｃ）は、図１２（ｅ）に示す状態に対応する斜視図である。
【００７３】
図１３（ａ）に示す状態では、切欠部カバーユニットは下端に位置しており、第２のカバー部材２１１は第１のカバー部材２０１に対してデジタルカメラ１の外部側に浮き上がった状態（上昇した状態）である。前述した切欠部カバーユニットの構成により、図１３（ａ）に示す状態では、デジタルカメラ１の外観面に露出する切欠部カバーユニットを上下スライドさせる際に必要となる凹形状部２６２は、図１６に示した従来の撮像装置に比べて小さくなる。
【００７４】
また、側壁２２１および２２２は、金属製の外装カバーであるフロントカバー１１およびリアカバー２１よりも外側に突出しているので、電源ケーブルがフロントカバー１１およびリアカバー２１の端面に触れて損傷することを防止することができる。
【００７５】
図１３（ａ）に示す状態から切欠部カバーユニットが上方へ移動すると、図１３（ｂ）に示す状態のように、第１のカバー部材２０１は上方に移動する。また、第２のカバー部材２１１は第１のカバー部材２０１に対してデジタルカメラ１の内部側に沈み込みつつ（降下しつつ）、上方に移動する。この際、第２のカバー部材２１１はフロントカバー１１およびリアカバー２１の厚さよりも大きな移動量で沈み込む。
【００７６】
これによって、図１３（ｃ）に示すように、第１のカバー部材２０１および第２のカバー部材２１１がさらに上方に移動すると、第２のカバー部材２１１がフロントカバー１１およびリアカバー２１の内側に潜り込む。その結果、第１のカバー部材２０１を上端まで容易に移動させることができる。
【００７７】
続いて、図１に示すデジタルカメラ１において、ＤＣカプラー３０１および電源ケーブル３０２を用いる場合について説明する。
【００７８】
図１４は、図１に示すデジタルカメラ１にＤＣカプラー３０１および電源ケーブル３０２を収納する直前の状態を示す斜視図である。
【００７９】
図１４においては、デジタルカメラ１の底面に設けられたバッテリーカバー（電池蓋）３０４が開いた状態である。バッテリーカバー３０４は、電池収納部３０３に対して電池を挿抜するための開口を開閉する。デジタルカメラ１にＤＣカプラー３０１および電源ケーブル３０２を収納する際には、電源ケーブル３０２をＤＣカプラー３０１に接続し、電池収納部３０３にＤＣカプラー３０１を挿入する。電池収納部３０３は、電源ケーブル３０２が接続されたカプラー３０１を収納可能である。そして、電源ケーブル３０２を第１のカバー部材２０１の下端に当てて、電源ケーブル３０２を上方に押し込むと切欠部カバーユニットが上方に移動する。これによって、図１５に示すように、バッテリーカバー３０４を閉じた状態で電池収納部３０３に電源ケーブル３０２を通すことができる。
【００８０】
以上のように、本発明の実施の形態によれば、電池蓋を閉じた状態で電池室に電源テーブルを通す切欠部を閉じる切欠部カバーユニットを移動させるために必要となる凹形状部を図１６に示した従来の撮像装置に比べて小さくすることができる。その結果、電池蓋を閉じた状態で電池室に電源テーブルを通すことができる構成であっても撮像装置の外観面に露出する凹形状部を小さくすることで意匠性が損なわれることを防止することができる。
【００８１】
また、切欠部カバーユニットに第１のカバー部材と第２のカバー部材とを用いて、切欠部カバーユニットを切欠部を開く方向に移動させる際に第２のカバー部材が第１のカバー部材に対して撮像装置の内部側に移動する構成にした。このような構成により、外観面に露出する凹形状部が小さくても、切欠部を電源ケーブルが通ることができるように切欠部カバーユニットを移動させることができる。
【００８２】
また、係合させた第１のカバー部材と第２のカバー部材との間に圧縮した弾性部材を配置して第１のカバー部材と第２のカバー部材とが離れる方向へ付勢するようにしたので、切欠部カバー蓋のガタ付きを抑えることができる。
【００８３】
また、切欠部カバーユニットの側面に摺動リブを配置するようにしたので、切欠部カバーユニットの移動方向を規制する側壁との摩擦抵抗およびガタ付きが低減し、切欠部カバーユニットの移動をスムーズに行うことができる。
【００８４】
また、切欠部カバーユニットの移動方向を規制する切欠部カバーユニットの両側面に配置される側壁を、金属製のフロントカバーおよびリアカバーよりも撮像装置の外部方向に突出させる構成にした。このような構成により、切欠部を通る電源ケーブルが金属製のカバーの端面に触れにくくすることができ、電源ケーブルの損傷を防止することができる。
【００８５】
以上、本発明について実施の形態に基づいて説明したが、本発明は、これらの実施の形態に限定されるものではなく、この発明の要旨を逸脱しない範囲の様々な形態も本発明に含まれる。
【００８６】
例えば、上記の実施の形態では、撮像装置に適用した場合について説明したが、電池収納部に収納されるＤＣカプラーに外部電源用端子を設けて、機器本体に電源を供給することが可能な構成であれば、その他の電子機器にも適用可能である。
【符号の説明】
【００８７】
１１  フロントカバー
２１  リアカバー
２０１  第１のカバー部材
２０２ａ〜２０２ｄ，２１２ａ，２１２ｂ  ガイドピン
２０３ａ、２０３ｂ，２２１ａ，２２２ａ  ガイド溝
２０５ａ〜２０５ｆ  摺動リブ
２１１  第２のカバー部材
２１３ａ，２１３ｂ  ガイドリブ
２６１  切欠部
【図１】
2013137416.tif 000003
【図２】
2013137416.tif 000004
【図３】
2013137416.tif 000005
【図４】
2013137416.tif 000006
【図５】
2013137416.tif 000007
【図６】
2013137416.tif 000008
【図７】
2013137416.tif 000009
【図８】
2013137416.tif 000010
【図９】
2013137416.tif 000011
【図１０】
2013137416.tif 000012
【図１１】
2013137416.tif 000013
【図１２】
2013137416.tif 000014
【図１３】
2013137416.tif 000015
【図１４】
2013137416.tif 000016
【図１５】
2013137416.tif 000017
【図１６】
2013137416.tif 000018